(57)【要約】【課題】比較的大型の支持体が概ね平板状となる場合においても、該支持体における板部の曲げ弾性係数を高めることができるとともに、スピーカ取付部の剛性を高めることができる表示装置を提供する。【解決手段】回路基板４０を支持する台板に、離隔した位置で該台板を補強する二つの補強杆６，６を取付け、一面で該光源を支持する略矩形の板部２３ａを有する支持体２３の板部２３ａに、離隔した位置で該板部２３ａを補強する二つの第２補強杆８，８を取付け、該二つの第２補強杆８，８に前記台板の両縁部を取付け、前記補強杆６，６夫々の一端部に結合される結合体７を設け、該結合体７にスピーカ３を取付けることにより、スピーカ取付部の剛性を補強杆６及び結合体７にて高めることができるようにした。【選択図】図４
2010068338.tif 000002
【特許請求の範囲】
【請求項１】
前側に表示面を有する表示部と、該表示部の後側に配される光源と、該光源を支持する略矩形の板部を有する支持体とを備える表示装置において、前記板部に離隔して取付けられて該板部を補強する二つの補強杆と、該補強杆夫々の一端部に結合される結合体と、該結合体に取付けられるスピーカとを備えることを特徴とする表示装置。
【請求項２】
前側に表示面を有する表示部と、該表示部の後側に配される光源と、一面で該光源を支持する略矩形の板部を有する支持体と、回路基板を支持し、前記板部の他面で支持される台板と、前記表示部の下側又は横側に配されるスピーカとを備える表示装置において、前記台板は、離隔した位置で該台板を補強する二つの補強杆を取付けてあり、前記板部の他面には、離隔した位置で該板部を補強する二つの第２補強杆を取付けてあり、該二つの第２補強杆に前記台板の両縁部を取付けてあり、前記補強杆夫々の一端部に結合される結合体を備え、該結合体に前記スピーカを取付けてあることを特徴とする表示装置。
【請求項３】
前記結合体は、前記補強杆夫々の一端部に結合される二つの柱形凸部と、該柱形凸部夫々の端部を連結し、前記スピーカが取付けられる連結杆部とを有する請求項１又は２記載の表示装置。
【請求項４】
前記スピーカは、外面の一部から外部へ突出され、前記連結杆部に取付けられる被取付凸部を有する請求項３記載の表示装置。
【請求項５】
前記板部は、前記第２補強杆の端部に結合され、前記板部を補強する第３補強杆を取付けてある請求項２記載の表示装置。
【請求項６】
前記第３補強杆は、前記第２補強杆の離隔距離よりも長く、前記板部は、前記第２補強杆と離隔した位置にて該第３補強杆の端部に結合され、前記板部を補強する第４補強杆を取付けてある請求項５記載の表示装置。
【請求項７】
前記柱形凸部は断面コ字形をなし、前記補強杆夫々の外部に嵌め込まれている請求項３記載の表示装置。
【発明の詳細な説明】
【技術分野】
【０００１】
本発明は液晶表示装置等の表示装置に関する。
【背景技術】
【０００２】
液晶テレビジョン等の薄型の表示装置は、前側に表示面を有する表示部と、該表示部の後側に装置された光源部と、該光源部における後面の上下縁部間に架渡し状に固定され、光源部のシャーシを補強するアルミダイキャスト製のフレームとを備え、該フレームの下端部にスタンドを取付け、フレームの中央部に壁掛具を取付けるように構成されている（例えば、特許文献１参照）。
【特許文献１】特開２００５−３５２３３２号公報
【発明の開示】
【発明が解決しようとする課題】
【０００３】
ところで、テレビジョン等の表示装置は益々薄型化及び大型化になっている。表示装置の厚さを薄くするには、発光ダイオードを有する発光ダイオード基板と、該発光ダイオード基板を支持する支持体を光源部が備える構成とすることにより達成することができる。しかし、この表示装置にあっては、前記支持体が概ね平板状になるため、支持体の曲げ強度が不足し、表示装置の剛性が不十分となる。
【０００４】
平板状の支持体の曲げ強度を高めるには、特許文献１のようにアルミダイキャスト製のフレームを支持体に取付けることが考えられる。
【０００５】
しかし、特許文献１のフレームはアルミダイキャスト製であり、このフレームが光源部における後面の上下縁部間に架渡し状に固定されるものであり、フレーム自体が大形であるため、表示装置の厚さが比較的厚くなり、薄型化に支障を来す。
【０００６】
本発明は斯かる事情に鑑みてなされたものであり、主たる目的は光源を一面で支持する支持体の略矩形をなす板部に離隔して取付けられ、該板部を補強する二つの補強杆と、該補強杆夫々の一端部に結合される結合体と、該結合体に取付けられるスピーカとを備える構成とすることにより、比較的大型の支持体が概ね平板状となる場合においても、該支持体における板部の曲げ弾性係数を高めることができるとともに、スピーカ取付部の剛性を高めることができる表示装置を提供することにある。
【課題を解決するための手段】
【０００７】
本発明に係る表示装置は、前側に表示面を有する表示部と、該表示部の後側に配される光源と、該光源を支持する略矩形の板部を有する支持体とを備える表示装置において、前記板部に離隔して取付けられて該板部を補強する二つの補強杆と、該補強杆夫々の一端部に結合される結合体と、該結合体に取付けられるスピーカとを備えることを特徴とする。
【０００８】
この発明にあっては、二つの補強杆夫々の端部に結合された結合体が補強杆夫々と一体になり、この結合体と一体構造の補強杆が板部の他面に取付けられているため、該板部の曲げ弾性係数を補強杆及び結合体により高めることができ、比較的大型の支持体が概ね平板状になっても該支持体の剛性を高めることができる。しかも、補強杆夫々の端部を連結する結合体がスピーカの取付具を兼ね、支持体におけるスピーカ取付部の剛性を結合体及び補強杆夫々が高めているため、スピーカ取付部の耐久性を高めることができる。
【０００９】
また、本発明に係る表示装置は、前側に表示面を有する表示部と、該表示部の後側に配される光源と、一面で該光源を支持する略矩形の板部を有する支持体と、回路基板を支持し、前記板部の他面で支持される台板と、前記表示部の下側又は横側に配されるスピーカとを備える表示装置において、前記台板は、離隔した位置で該台板を補強する二つの補強杆を取付けてあり、前記板部の他面には、離隔した位置で該板部を補強する二つの第２補強杆を取付けてあり、該二つの第２補強杆に前記台板の両縁部を取付けてあり、前記補強杆夫々の一端部に結合される結合体を備え、該結合体に前記スピーカを取付けてあることを特徴とする。
【００１０】
この発明にあっては、二つの補強杆夫々の端部に結合された結合体が補強杆夫々と一体になり、この結合体と一体構造の補強杆が台板と一体になり、該台板が板部の他面に取付けられているため、該板部の曲げ弾性係数を台板、補強杆及び結合体により高めることができ、比較的大型の支持体が概ね平板状になっても該支持体の剛性を高めることができる。しかも、補強杆夫々の端部を連結する結合体がスピーカの取付具を兼ね、支持体におけるスピーカ取付部の剛性を台板、結合体及び補強杆夫々が高めているため、スピーカ取付部の耐久性をより一層高めることができる。
【００１１】
また、本発明に係る表示装置は、前記結合体は、前記補強杆夫々の一端部に結合される二つの柱形凸部と、該柱形凸部夫々の端部を連結し、前記スピーカが取付けられる連結杆部とを有する構成とするのが好ましい。
この発明にあっては、柱形凸部を補強杆夫々の端部に重合して結合することができるため、結合体の補強杆との結合強度を高めることができ、しかも、連結杆部を支持体の周縁よりも内側に配することができるため、スピーカが表示装置の後期組立て工程で取付けられる場合においても、結合体が邪魔になるのを防ぐことができ、組立て作業性を高めることができる。
【００１２】
また、本発明に係る表示装置は、前記スピーカは、外面の一部から外部へ突出され、前記連結杆部に取付けられる被取付凸部を有する構成とするのが好ましい。
この発明にあっては、結合体が支持体の周縁よりも内側に取付けられている場合においても、スピーカを前記支持体の周縁よりも外側に配した状態で結合体に容易に取付けることができる。
【００１３】
また、本発明に係る表示装置は、前記板部は、前記第２補強杆の端部に結合され、前記板部を補強する第３補強杆を取付けてある構成とするのが好ましい。
この発明にあっては、二つの第２補強杆の端部に第３補強杆が結合され、コ字形をなす一体構造になっており、この一体構造の第２補強杆及び第３補強杆が支持体の板部の他面に取付けられているため、該板部の曲げ弾性係数を第２補強杆及び第３補強杆により高めることができ、比較的大型の支持体が概ね平板状になっても該支持体の剛性をより一層高めることができる。
【００１４】
また、本発明に係る表示装置は、前記第３補強杆は、前記第２補強杆の離隔距離よりも長く、前記板部は、前記第２補強杆と離隔した位置にて該第３補強杆の端部に結合され、前記板部を補強する第４補強杆を取付けてある構成とするのが好ましい。
この発明にあっては、一体構造のコ字形をなす二つの第２補強杆と第３補強杆とに第４補強杆が加わり、この第４補強杆が第２補強杆及び第３補強杆と一体構造になっており、この一体構造の第２補強杆、第３補強杆及び第４補強杆が支持体の板部の他面に取付けられているため、該板部の曲げ弾性係数を第２補強杆、第３補強杆及び第４補強杆により高めることができ、比較的大型の支持体が概ね平板状になっても該支持体の剛性をより一層高めることができる。
【００１５】
また、本発明に係る表示装置は、前記柱形凸部は断面コ字形をなし、前記補強杆夫々の外部に嵌め込まれている構成とするのが好ましい。
この発明にあっては、柱形凸部の補強杆との結合強度を高めることができ、結合体によるスピーカ取付部の剛性をより一層高めることができる。
【発明の効果】
【００１６】
本発明によれば、板部の曲げ弾性係数を補強杆及び結合体により高めることができ、比較的大型の支持体が概ね平板状になっても該支持体の剛性を高めることができる。しかも、補強杆夫々の端部を連結する結合体がスピーカの取付具を兼ね、支持体におけるスピーカ取付部の剛性を結合体及び補強杆夫々が高めているため、スピーカ取付部の耐久性を高めることができる。
【００１７】
また、本発明によれば、板部の曲げ弾性係数を台板、補強杆及び結合体により高めることができ、比較的大型の支持体が概ね平板状になっても該支持体の剛性を高めることができる。しかも、補強杆夫々の端部を連結する結合体がスピーカの取付具を兼ね、支持体におけるスピーカ取付部の剛性を台板、結合体及び補強杆夫々が高めているため、スピーカ取付部の耐久性をより一層高めることができる。
【発明を実施するための最良の形態】
【００１８】
以下本発明をその実施の形態を示す図面に基づいて詳述する。図１は表示装置の構成を示す一部を省略した断面図、図２はキャビネットを省略した状態の構成を示す背面側斜視図、図３はキャビネットを省略した状態の構成を示す背面図、図４はスピーカを取外した状態の構成を示す背面側斜視図、図５はスピーカ取付部の構成を示す拡大断面図、図６は台板を取外した状態を示す背面側斜視図、図７は第２補強杆の構成を示す斜視図、図８は台板の構成を示す背面図、図９及び図１０は光源部分の構成を示す模式的断面図、図１１は光源の構成を示す模式的説明図である。
【００１９】
この表示装置は、テレビ画像を表示する表示面を前側に有する表示部１と、該表示部１の後側に配されている光源部２と、表示部１の下側に装着されるスピーカ３と、光源部２の後側に装着されるスタンドと、表示部１の周縁部及び光源部２の後側を被覆するキャビネット４とを備える。
【００２０】
表示部１は、表示面を有する表示パネル１１と、該表示パネル１１の後側に配されている光学シート１２とを有する。表示パネル１１の周縁部は、前保持枠体１３と、後保持枠体１４とにより前後に挾着保持され、パネルモジュールを構成しており、後保持枠体１４が光源部２の周縁部に取付けられている。
【００２１】
光学シート１２は、光源としての発光ダイオード２１が発光した光を拡散する比較的厚肉の二枚の拡散板１２ａと、反射偏光板、プリズムシート、拡散シート等の比較的薄肉の合成樹脂シート１２ｂとが積層された積層体であり、拡散板１２ａの周縁部が第２支持板１６を介して後記する支持体２３の周縁部に支持されている。
【００２２】
光源部２は、碁盤目のように並置される複数の発光ダイオード２１と、該発光ダイオード２１を実装してある複数の発光ダイオード基板２２と、該発光ダイオード基板２２を並べて支持する支持体２３と、発光ダイオード２１が発光した光を横方向へ導く複数の導光板２４と、該導光板２４が導いた光を支持体２３と反対方向へ反射させる複数の反射板２５とを備える。
【００２３】
支持体２３は金属板を成形してなり、略矩形をなす平板状の板部２３ａを有し、該板部２３ａの一面に複数の発光ダイオード基板２２を長手方向及び幅方向に並べて支持してあり、該発光ダイオード基板２２夫々と板部２３ａとの間に、発光ダイオード２１が発生した熱を発光ダイオード基板２２から板部２３ａへ放熱する放熱板２６を介在してある。また、板部２３ａには該板部２３ａの長手方向に並置される発光ダイオード基板２２同士を導線で接続するため複数の接続用孔と、導光板２４夫々を個別に取付けるための複数の取付孔とが開設されている。また、板部２３ａの周縁部には板厚方向へ偏倚する段部２３ｂが設けられており、該段部２３ｂと発光ダイオード基板２２との間に導光板２４夫々の一部を支持する細長状の第１支持板１５が取付けられ、段部２３ｂよりも周縁側に光学シート１２を支持する細長状の第２支持板１６が取付けられる。
【００２４】
発光ダイオード基板２２は略矩形をなし、一面に発光ダイオード２１を実装してあり、板部２３ａの一面に並べて取付けられている。
【００２５】
導光板２４は、入光面２４ａと、該入光面２４ａに入光した光を入光面２４ａとほぼ直交する方向へ照射する出光面２４ｂとを有し、発光ダイオード２１の一側と対向する位置に入光面２４ａを配し、拡散板１２ａと対向する位置に出光面２４ｂを配してあり、出光面２４ｂと反対側の面に反射板２５が貼付けられている。
【００２６】
以上のように一面に発光ダイオード基板２２が取付けられた板部２３ａの他面には、表示部１に電源を供給する電源回路基板４０、及び表示部１の表示面に表示される画像を処理する端子回路基板４１等の複数の回路基板を支持する台板５が支持され、該台板５に、台板５を補強する二つの補強杆６，６が取付けられており、該補強杆６，６夫々の一端部に結合体７が結合されている。また、板部２３ａの他面には、長手方向に比較的長い距離で離隔した位置で該板部２３ａを補強する二つの第２補強杆８，８と、該第２補強杆８，８と比較的短い距離で並置され、板部２３ａを補強する第４補強杆９，９と、第２補強杆８，８及び第４補強杆９，９の一端及び板部２３ａの長辺との間で第２補強杆８，８及び第４補強杆９，９の端部に結合され、板部２３ａを補強する第３補強杆１０との夫々を複数の間座部材８０を介して複数の雄螺子により取付けてある。
【００２７】
台板５は金属板を成形してなり、一面に電源回路基板４０及び端子回路基板４１を支持し、略矩形をなす支持板部５１と、該支持板部５１の長手方向両縁から一面側へ突出する二つの第１突片５２，５２及び第１突片５２，５２の先端から互いに外向きに突出する被取付部としての第２突片５３，５３とを有し、第２突片５３，５３に複数の取付孔が開設されており、複数の雄螺子により第２突片５３，５３が二つの第２補強杆８，８に取付けられている。台板５は他面が板部２３ａと若干離隔して対向し、発光ダイオード２１の発光により発生する熱が板部２３ａから台板５へ直接伝達されないようにしてある。
【００２８】
支持板部５１の長手方向両端間には、台板５を補強する二つの補強杆６，６が長手方向に離隔して取付けられており、該補強杆６，６の長手方向中間に、電源回路基板４０を支持する二つの第２台板３０，３０が取付けられている。また、支持板部５１の長手方向中央部で、補強杆６，６の間には制御回路基板４２に対応する欠除部５４が設けられている。
【００２９】
欠除部５４は支持板部５１の長辺と離隔した箇所に開設された四角形をなす貫通孔であり、欠除部５４にて露出する板部２３ａの露出位置に、制御回路基板４２を支持する第３台板が複数の雄螺子により取付けられている。
【００３０】
補強杆６，６は金属板を断面コ字形に成形してなり、支持板部５１の幅よりも若干短い長さに形成され、溝が支持板部５１と対向するように複数の雄螺子により支持板部５１に取付けられている。また、補強杆６，６の一端部には複数の取付孔６１が長手方向に離隔して開設されている。
【００３１】
結合体７は、補強杆６，６夫々の一端部に結合される二つの柱形凸部７１，７１と、該柱形凸部７１，７１夫々の端部を一体に連結し、スピーカ３が取付けられる連結杆部７２とを有し、アルミニウム材をダイキャスト成形してなる。
【００３２】
柱形凸部７１，７１は溝を有し、補強杆６，６の外部に嵌め込まれる断面コ字形をなし、二つの挿通孔７１ａが長手方向に離隔して開設されている。連結杆部７２は角柱形をなし、長手方向の中央部に凹状のスピーカ取付部７２ａが設けられ、該スピーカ取付部７２ａに複数の取付孔７２ｂが長手方向に離隔して開設されている。
【００３３】
スピーカ３は、外面の一部から外部へ突出され、スピーカ取付部７２ａに雄螺子にて取付けられる被取付凸部３ａを有する。被取付凸部３ａには取付孔７２ｂに対応する複数の被取付孔が開設されている。
【００３４】
第２台板３０は金属板を比較的細幅に成形してなり、板部２３ａの長手方向一側部に配してある第２補強杆８から一方の補強杆６を跨越して配されている他方の補強杆６に至る長さに形成されている。第２台板３０は補強杆６，６の長手方向へ離隔して並置され、一端部及び中間部が二つの補強杆６，６の長手方向中間に雄螺子にて取付けられている。
【００３５】
電源回路基板４０は略四角形をなし、該電源回路基板４０の対向する両縁部夫々を第２台板３０に雄螺子により取付けてある。
【００３６】
第２補強杆８は金属板を断面コ字形に成形してなり、板部２３ａの幅よりも短い長さに形成されている。一方の隣合う第２補強杆８及び第４補強杆９は、比較的短い離隔距離で板部２３ａの長手方向一側部に並置され、他方の隣合う第２補強杆８及び第４補強杆９は、比較的短い離隔距離で板部２３ａの長手方向他側部に、溝が板部２３ａと対向するように並置されている。また、第２補強杆８及び第４補強杆９夫々の両端には挿通孔を有する被結合部を設けてある。
【００３７】
第３補強杆１０は金属板を断面コ字形に成形してなり、板部２３ａの長さよりも短い長さに形成され、両端部夫々に二つの被結合部が設けられている。第３補強杆１０は板部２３ａの縁よりも中央側へ離隔した位置に板部２３ａの長辺と平行的に配され、一端部の二つの被結合部が第２補強杆８及び第４補強杆９の一端部の被結合部に雄螺子により結合されているとともに溝が板部２３ａと対向するように板部２３ａに固定されており、他端部の二つの被結合部が第２補強杆８及び第４補強杆９の一端部の被結合部に雄螺子により結合されているとともに溝が板部２３ａと対向するように板部２３ａに固定されている。
【００３８】
板部２３ａの長手方向一側部に並置してある第２補強杆８及び第４補強杆９の間の板部２３ａには、発光ダイオード基板２２に接続される電源回路基板４３が複数の雄螺子により取付けられており、板部２３ａの長手方向他側部に並置してある第２補強杆８及び第４補強杆９の間の板部２３ａには、発光ダイオード基板２２に接続され、発光ダイオード２１を制御する制御回路基板４４が複数の雄螺子により取付けられており、また、板部２３ａの長手方向中央で、第３補強杆１０と反対側には前記表示部１を制御する制御回路基板４２が複数の雄螺子により取付けられている。
【００３９】
また、板部２３ａの長手方向一側部に並置してある第２補強杆８及び第４補強杆９には、電源回路基板４３を被覆し、該電源回路基板４３に対して電磁波を遮断するカバー３１が複数の雄螺子により取付けられており、板部２３ａの長手方向他側部に並置してある第２補強杆８及び第４補強杆９には、制御回路基板４４を被覆し、該制御回路基板４４に対して電磁波を遮断するカバー３２が複数の雄螺子により取付けられている。
【００４０】
キャビネット４は、表示部１の周縁部前側を被覆するキャビネット前分体４ａと、光源部２の周縁部及び後側を被覆する深皿形状のキャビネット後分体４ｂとを有し、支持体２３の周縁部に雄螺子により取付けられている。
【００４１】
以上のように構成された表示装置は、支持体２３の板部２３ａに第２補強杆８、第３補強杆１０及び第４補強杆９が複数の雄螺子により取付けられる。また、台板５には二つの補強杆６，６が取付けられ、この補強杆６，６に第２台板３０を介して電源回路基板４０が支持される。この台板５の第２突片５３，５３が第２補強杆８，８に雄螺子により取付けられ、台板５と一体の補強杆６，６の下端部に結合体７が取付けられ、該結合体７にスピーカ３が取付けられる。
【００４２】
結合体７は、柱形凸部７１，７１が補強杆６，６の外部に嵌め込まれ、挿通孔７１ａに挿入される雄螺子が取付孔６１に捩込まれることにより結合される。
【００４３】
スピーカ３は、被取付凸部３ａがスピーカ取付部７２ａに重合され、取付孔７２ｂに挿入される雄螺子が被取付凸部３ａの被取付孔に捩込まれることにより結合される。
【００４４】
このように電源回路基板４０を支持する台板５を補強する二つの補強杆６，６の下端を結合体７が連結し、板部２３ａにおけるスピーカ取付部分を補強しているため、スピーカ取付部の剛性を高めることができる。
【００４５】
光源部２の支持体２３は、二つの第２補強杆８及び二つの第４補強杆９の一端に第３補強杆１０が結合され、一体構造のコ字形をなし、この一体構造の第２補強杆８、第４補強杆９及び第３補強杆１０が支持体２３の板部２３ａに取付けられ該板部２３ａと一体構造になっているため、概ね平板状となる支持体２３の曲げ弾性係数を十分に高めることができる。
【００４６】
また、第２補強杆８及び第４補強杆９は板部２３ａの長手方向一側部と他側部とに夫々二つを並置し、第２補強杆８及び第４補強杆９に電磁波遮断用のカバー３１，３２を取付けてあり、該カバー３１，３２が板部２３ａを補強しているため、支持体２３の曲げ弾性係数をより一層高めることができる。
【００４７】
尚、以上説明した実施の形態では、光源として発光ダイオード２１を備える構成としたが、その他、ランプを有する光源であってもよく、光源の構成は特に制限されない。
【００４８】
また、以上説明した実施の形態では、板部２３ａの長手方向両側に二つの第２補強杆８，８及び二つの第４補強杆９，９を夫々並置し、第２補強杆８及び第４補強杆９夫々の一端部に第３補強杆１０を結合してある構成としたが、その他、第３補強杆１０、第４補強杆９は必ずしも必要でない。
【００４９】
また、以上説明した実施の形態では、回路基板を支持する台板５を備える構成としたが、その他、台板５がなく、板部２３ａに回路基板が取付けられる構成としてもよい。この場合、第２補強杆８，８が補強杆６，６を兼ね、該第２補強杆８，８に電源回路基板４０等の回路基板の両縁部が直接的に、又は第２台板３０等を介して取付けられる。
【００５０】
また、本発明に係る表示装置は液晶テレビジョン等の液晶表示装置である他、光源を備える他の表示装置であってもよい。
【図面の簡単な説明】
【００５１】
【図１】本発明に係る表示装置の構成を示す一部を省略した断面図である。
【図２】本発明に係る表示装置のキャビネットを省略した状態の構成を示す背面側斜視図である。
【図３】本発明に係る表示装置のキャビネットを省略した状態の構成を示す背面図である。
【図４】本発明に係る表示装置のスピーカを取外した状態の構成を示す背面側斜視図である。
【図５】本発明に係る表示装置のスピーカ取付部の構成を示す拡大断面図である。
【図６】本発明に係る表示装置の台板を取外した状態を示す背面側斜視図である。
【図７】本発明に係る表示装置の第２補強杆の構成を示す斜視図である。
【図８】本発明に係る表示装置の台板の構成を示す背面図である。
【図９】本発明に係る表示装置の光源部分の構成を示す模式的断面図である。
【図１０】本発明に係る表示装置の光源部分の構成を示す模式的断面図である。
【図１１】本発明に係る表示装置の光源の構成を示す模式的説明図である。
【符号の説明】
【００５２】
１    表示部
２１  発光ダイオード（光源）
２３  支持体
２３ａ  板部
３    スピーカ
３ａ  被取付凸部
５    台板
６    補強杆
７    結合体
７１  柱形凸部
７２  連結杆部
８    第２補強杆
９    第４補強杆
１０  第３補強杆
【図１】
2010068338.tif 000003
【図２】
2010068338.tif 000004
【図３】
2010068338.tif 000005
【図４】
2010068338.tif 000006
【図５】
2010068338.tif 000007
【図６】
2010068338.tif 000008
【図７】
2010068338.tif 000009
【図８】
2010068338.tif 000010
【図９】
2010068338.tif 000011
【図１０】
2010068338.tif 000012
【図１１】
2010068338.tif 000013